【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
筐体と、
被観察者の顔を撮像し、撮像画像から前記被観察者の顔の皮膚部分を含む検出領域の映像データを取得する撮像部と、
前記検出領域の映像データから人の脈波の情報を含む生体情報を取得するとともに、前記生体情報を用いて心拍変動バイオフィードバックを行うための情報表示画面を生成する処理部と、
前記筐体において前記撮像部と同一面上に配置され、前記情報表示画面を表示する表示部と、を有し、
前記処理部は、前記心拍変動バイオフィードバックのための、前記被観察者の呼吸を補助する呼吸アシスタントを含む情報表示画面を生成し、
前記情報表示画面において、前記呼吸アシスタントの少なくとも一部が、前記撮像部に最も近い表示部の外周端辺と垂直に交わる前記撮像部を通るカメラ通過直線上に配置される、
生体情報表示装置。
【請求項２】
請求項１に記載の生体情報表示装置であって、
前記呼吸アシスタントは前記被観察者の呼吸のペースを指示する呼吸ペーサを含み、
前記情報表示画面において、前記呼吸ペーサの少なくとも一部が、前記カメラ通過直線上に配置される、
生体情報表示装置。
【請求項３】
請求項２に記載の生体情報表示装置であって、
前記呼吸アシスタントは前記被観察者の呼吸及び心拍の状態を示すインジケータを含み、
前記情報表示画面において、前記インジケータの少なくとも一部が、前記カメラ通過直線上に配置される、
生体情報表示装置。
【請求項４】
請求項２に記載の生体情報表示装置であって、
前記呼吸アシスタントは前記被観察者の呼吸及び心拍の状態を示すインジケータを含み、
前記呼吸ペーサは、前記情報表示画面において少なくとも一部が移動して前記被観察者の呼吸のペースをガイドするものであり、前記インジケータは、前記情報表示画面において少なくとも一部が移動するにことより前記被観察者の状態を示すものであり、前記呼吸ペーサと前記インジケータの移動方向が同じである、
生体情報表示装置。
【請求項５】
請求項２に記載の生体情報表示装置であって、
前記呼吸アシスタントは前記被観察者の呼吸及び心拍の状態を示すインジケータを含み、
前記呼吸ペーサは、前記情報表示画面において少なくとも一部が移動して前記被観察者の呼吸のペースをガイドするものであり、前記インジケータは、前記情報表示画面において少なくとも一部が移動するにことより前記被観察者の状態を示すものであり、前記呼吸ペーサと前記インジケータの移動方向が異なる、
生体情報表示装置。
【請求項６】
請求項２に記載の生体情報表示装置であって、
前記呼吸アシスタントは前記被観察者の呼吸及び心拍の状態を示すインジケータを含み、
前記呼吸ペーサは、前記情報表示画面において少なくとも一部が移動して前記被観察者の呼吸のペースをガイドするものであり、前記インジケータは状態変化により前記被観察者の状態を示すものである、
生体情報表示装置。
【請求項７】
請求項４から６のいずれか一項に記載の生体情報表示装置であって、
前記呼吸ペーサの移動方向が、前記カメラ通過直線と垂直に交わる、
生体情報表示装置。
【請求項８】
請求項２から７のいずれか一項に記載の生体情報表示装置であって、
前記呼吸ペーサは、前記情報表示画面において前記カメラ通過直線上に位置するペーサ配置領域に配置され、前記ペーサ配置領域は、前記カメラ通過直線に平行な２直線で前記情報表示画面を３分割した３領域の中央領域に位置する、
生体情報表示装置。
【請求項９】
請求項２から７のいずれか一項に記載の生体情報表示装置であって、
前記呼吸ペーサは、前記情報表示画面において前記カメラ通過直線上に位置するペーサ配置領域に配置され、前記ペーサ配置領域は、前記カメラ通過直線に平行な２直線で前記情報表示画面を３分割した３領域の端領域に位置する、
生体情報表示装置。
【請求項１０】
請求項８又は９に記載の生体情報表示装置であって、
前記ペーサ配置領域は、前記カメラ通過直線に垂直な直線で２分割した２領域の前記撮像部側の領域に位置する、
生体情報表示装置。
【請求項１１】
請求項４から７のいずれか一項に記載の生体情報表示装置であって、
前記呼吸ペーサは、呼吸のタイミングに応じて移動速度が変化する、
生体情報表示装置。
【請求項１２】
請求項１１に記載の生体情報表示装置であって、
前記呼吸ペーサは、呼吸の吸う区間の始めと終わり、吐く区間の始めと終わりの少なくとも一方において移動速度が遅くなる、
生体情報表示装置。
【請求項１３】
請求項１１に記載の生体情報表示装置であって、
前記呼吸ペーサは、呼吸の吸う区間の始めと終わり及び吐く区間の始めと終わりを除く、他の区間において等速移動する、
生体情報表示装置。
【請求項１４】
請求項１から１０のいずれか一項に記載の生体情報表示装置であって、
前記撮像部の位置を検出する検出部を有し、
前記処理部は、前記撮像部の位置に応じて、前記呼吸アシスタントを含む前記情報表示画面のＧＵＩを配置する、
生体情報表示装置。
【請求項１５】
請求項１から１０のいずれか一項に記載の生体情報表示装置であって、
前記表示部の向きを検出する検出部を有し、
前記処理部は、前記表示部の向き、及び前記撮像部と前記情報表示画面との位置関係に応じて、前記呼吸アシスタントを含む前記情報表示画面のＧＵＩを配置する、
生体情報表示装置。
【請求項１６】
請求項１５に記載の生体情報表示装置であって、
前記処理部は、前記表示部の向きによって前記情報表示画面の回転を検出し、前記情報表示画面の向きに応じてＧＵＩを変更する、
生体情報表示装置。
【請求項１７】
筐体と、被観察者の顔を撮像する撮像部と、撮像画像から取得した生体情報を表示する表示部とを有し、前記筐体において前記表示部が前記撮像部と同一面上に配置された、生体情報表示装置における生体情報表示方法であって、
前記撮像部により被観察者の顔を撮像し、撮像画像から前記被観察者の顔の皮膚部分を含む検出領域の映像データを取得し、
前記検出領域の映像データから人の脈波の情報を含む生体情報を取得するとともに、前記生体情報を用いて心拍変動バイオフィードバックを行うための情報表示画面を生成し、
前記情報表示画面の生成において、前記心拍変動バイオフィードバックのための、前記被観察者の呼吸を補助する呼吸アシスタントを含む情報表示画面を生成し、
前記情報表示画面を表示部に表示し、
前記情報表示画面において、前記呼吸アシスタントの少なくとも一部が、前記撮像部に最も近い表示部の外周端辺と垂直に交わる前記撮像部を通る直線上に配置される、
生体情報表示方法。
【請求項１８】
筐体と、被観察者の顔を撮像する撮像部と、撮像画像から取得した生体情報を表示する表示部とを有し、前記筐体において前記表示部が前記撮像部と同一面上に配置された生体情報表示装置において、コンピュータにより生体情報表示方法の各処理を実行するプログラムであって、
前記撮像部により被観察者の顔を撮像し、撮像画像から前記被観察者の顔の皮膚部分を含む検出領域の映像データを取得するステップと、
前記検出領域の映像データから人の脈波の情報を含む生体情報を取得するとともに、前記生体情報を用いて心拍変動バイオフィードバックを行うための情報表示画面を生成するステップと、
前記情報表示画面の生成において、前記心拍変動バイオフィードバックのための、前記被観察者の呼吸を補助する呼吸アシスタントを含む情報表示画面を生成するステップと、
前記情報表示画面を表示部に表示するステップと、を含み、
前記情報表示画面において、前記呼吸アシスタントの少なくとも一部が、前記撮像部に最も近い表示部の外周端辺と垂直に交わる前記撮像部を通る直線上に配置される、
プログラム。
【手続補正２】
【補正対象書類名】明細書
【補正対象項目名】０００６
【補正方法】変更
【補正の内容】
【０００６】
本開示は、筐体と、被観察者の顔を撮像し、撮像画像から被観察者の顔の皮膚部分を含む検出領域の映像データを取得する撮像部と、検出領域の映像データから人の脈波の情報を含む生体情報を取得するとともに、生体情報を用いて心拍変動バイオフィードバックを行うための情報表示画面を生成する処理部と、筐体において撮像部と同一面上に配置され、情報表示画面を表示する表示部と、を有し、処理部は、心拍変動バイオフィードバックのための、被観察者の呼吸を補助する呼吸アシスタントを含む情報表示画面を生成し、情報表示画面において、呼吸アシスタントの少なくとも一部が、撮像部に最も近い表示部の外周端辺と垂直に交わる撮像部を通るカメラ通過直線上に配置される、生体情報表示装置を提供する。
【手続補正３】
【補正対象書類名】明細書
【補正対象項目名】０００７
【補正方法】変更
【補正の内容】
【０００７】
また、本開示は、筐体と、被観察者の顔を撮像する撮像部と、撮像画像から取得した生体情報を表示する表示部とを有し、筐体において表示部が撮像部と同一面上に配置された、生体情報表示装置における生体情報表示方法であって、撮像部により被観察者の顔を撮像し、撮像画像から被観察者の顔の皮膚部分を含む検出領域の映像データを取得し、検出領域の映像データから人の脈波の情報を含む生体情報を取得するとともに、生体情報を用いて心拍変動バイオフィードバックを行うための情報表示画面を生成し、情報表示画面の生成において、心拍変動バイオフィードバックのための、被観察者の呼吸を補助する呼吸アシスタントを含む情報表示画面を生成し、情報表示画面を表示部に表示し、情報表示画面において、呼吸アシスタントの少なくとも一部が、撮像部に最も近い表示部の外周端辺と垂直に交わる撮影部を通る直線上に配置される、生体情報表示方法を提供する。
【手続補正４】
【補正対象書類名】明細書
【補正対象項目名】０００８
【補正方法】変更
【補正の内容】
【０００８】
また、本開示は、筐体と、被観察者の顔を撮像する撮像部と、撮像画像から取得した生体情報を表示する表示部とを有し、筐体において表示部が撮像部と同一面上に配置された生体情報表示装置において、コンピュータにより生体情報表示方法の各処理を実行するプログラムであって、撮像部により被観察者の顔を撮像し、撮像画像から被観察者の顔の皮膚部分を含む検出領域の映像データを取得するステップと、検出領域の映像データから人の脈波の情報を含む生体情報を取得するとともに、生体情報を用いて心拍変動バイオフィードバックを行うための情報表示画面を生成するステップと、情報表示画面の生成において、心拍変動バイオフィードバックのための、被観察者の呼吸を補助する呼吸アシスタントを含む情報表示画面を生成するステップと、情報表示画面を表示部に表示するステップと、を含み、情報表示画面において、呼吸アシスタントの少なくとも一部が、撮像部に最も近い表示部の外周端辺と垂直に交わる撮像部を通る直線上に配置される、プログラムを提供する。